(57)【要約】      （修正有）【課題】軽量にして、壁材との接着後も容易に着脱を可能とし、連結するユニットの組み合わせ又はユニット内のブロックの組み合わせを変えることができ、嵌め替えの施工性を高め、デザインの自由度を高めるユニットタイルを提供する。【解決手段】ユニットタイルは、プラスチックの複数枚のブロック１〜３を一枚の弾力性のあるプラスチックの連結部材の接合ベース４の凸部状のポッチに嵌め込んで一枚を構成する。接合ベースと一体となったユニットタイル部材の裏面をスプレー糊で壁等に接着させる。一枚のユニットタイルを構成するブロックは連結部材となる接合ベースのポッチに一度嵌め込んでも接着剤を使用しないためポッチから着脱させ、別のブロックと取り換えることができる。【選択図】図３
0003234296.tif 000002
【実用新案登録請求の範囲】
【請求項１】
ブロック裏面に凹部の形状を有するブロックと、これを嵌め込む凸部状のポッチを有する接合ベースからなるユニットタイル
【請求項２】
いずれもプラスチック素材からなる前記のユニットタイルにして、複数の形状からなるブロックと、それら複数の形状のブロックを収める接合ベースからなるユニットタイル
【請求項３】
前記ブロックの連結手段は、ブロックの裏面に接合ベースに嵌め込み可能な凹部が複数形成され、接合ベースには凸部状のポッチを有することにより、ブロックが接着剤を用いることなく着脱可能なことを特徴とする請求項1又は2に記載したユニットタイル
【請求項４】
壁面に接着剤を塗布する工程と、請求項1ないし３のいずれかに記載されたユニットタイルを押し付けて連結させることにより壁材を形成する工程とを含むことを特徴とするユニットタイル
【考案の詳細な説明】
【技術分野】
【０００１】
本発明は、ブロックの取外しが容易で、ユニットの形状の変更が可能なユニットタイルに関するものである。
【背景技術】
【０００２】
従来のタイルは、住宅の外壁及び内壁として、直にタイルを壁に接着施工させる方法がとられてきた。施工時間の短縮のために複数のタイルの前面又は裏面に紙やネット等シート材に貼り一定数連結したユニットタイルも考案されているが、接着すれば施工後はユニットタイルの組み合わせを変えてデザインを変更することは困難であるという課題があった。
【０００３】
さらに、建築物の仕上げ材として使用される従来のタイルは、粘土を主原料とする平板状の焼成品であり、その重量は３０センチ四方の大きさのタイルでは１０００グラムを超えるものであることことが多く、施工作業には重量のあるタイルを持ち上げて、支えて貼るという動作を要するため、作業環境には体力を要するという課題があった。
【先行技術文献】
【特許文献】
【０００４】
【特許文献１】特開２０１１−１７５１号  公報
【特許文献２】特開２００２−３７１７０１号  公報
【考案の概要】
【考案が解決しようとする課題】
【０００５】
従来のタイル及びユニットタイルは、平板状の粘土焼成品で、重量があり、施工の作業環境に重量物を持ち上げて貼りつけるまで支える労力が必要であるうえ、一旦、接着すると着脱は容易ではないという点である。
【０００６】
ユニットタイルは、タイルを紙やネット等のシート状の素材に貼り付けて、作業をより短時間で行うとともに、接着面を広げることにより、壁等との圧着を均して仕上げることを目的とするものであるが、ユニット内のタイルの組み合わせの変更を予定していないため、壁等に接着したのちには、ユニット内のタイルの組み合わせを変更できない点である。
【課題を解決するための手段】
【０００７】
本考案は、主としてプラスチックを原材料として金型を用いて射出成型し、2種類以上のタイル形状のブロックで、各ブロックの裏面には凹部の形状の箇所を有し、各ブロックの裏面に嵌め込む凸部状のポッチを有する接合ベースに嵌め込んで、ブロックを連結して一枚のユニットタイルを構成する。ユニットタイルにおいて、ブロックの取り外しは接着剤を使用しないため、着脱可能であることを最も重要な特徴とする。
【考案の効果】
【０００８】
ユニットタイルの施工時及び施工後においても、ユニットタイルを構成するブロックの取り外しが可能であるので、デザインの自由度を向上させ、また汚れた場合の取替えも簡単に行うことができる。
【０００９】
接合ベースに接着剤を塗布して壁に接着施工するが、プラスチックを原材料とするので、従来の壁タイルよりも60ないし85％軽量化することができる。軽量化により、壁補強が不要となるほか、施工の作業環境を改善するとともに、コストの削減を図ることができる。
【００１０】
また、プラスチック素材のブロックに蓄光材料を使用することによりブロックの自己発光を可能にすることなどの工夫により、ブロック面の美観や機能を高めることができる。
【図面の簡単な説明】
【００１１】
【図１】本考案のブロック
【図２】（Ａ）本考案の接合ベース、（Ｂ）本考案の接合ベースの切り取り形状の拡大図、（Ｃ）本考案の接合ベースの切り取り線の谷凹形状の断面図、（Ｄ）本考案の接合ベースの切り取り説明図
【図３】（Ａ）本考案のユニットタイルとブロックを接合ベースに嵌め込んだ平面図、（Ｂ）本考案のユニットタイルとブロックを接合ベースに嵌め込んだ斜視図
【図４】本考案のブロック裏面と接合ベースの接合説明図
【図５】本考案のユニットタイルのデザイン説明図
【考案を実施するための形態】
【００１２】
図３は本考案の複数の形状のブロック１、２、３を接合ベース４に嵌め込んだ施工例の図である。自由なブロックの嵌め込みをした後に壁に接着材で接着する。ブロックの形状を正方形、長方形を基本として長さを組み合わせることにより、タイルのデザインを変えることができる。図５はデザインした３例を示している。
【００１３】
ブロックの部材は、プラスチックを原材料として金型を用いて射出成型し、軽量化をはかり、従来の陶器タイル素材のようなセメントやモルタルを接着剤としない。スプレー糊や両面接着テープ、壁施工用ボンドで接着することができる。
【００１４】
図２で示すように接合ベース内にブロックを収めるだけの面積を確保したうえで、接合ベースを切断して、ユニットの形状を変更して、室内壁等の接着面に合わせて、施工することができ、壁面をデザインする。更にハサミ等でカットできる場所を谷形状で凹をつくり容易に切り取れるような形状にしている。
【００１５】
接合ベースを壁に接着した後に、接合ベース内であれば、ブロックを着脱することより、隣接するブロックのデザインの組み合わせを変更し、壁のデザインを変更する。
【００１６】
プラスチックを原材料として金型を用いて射出成型するブロックの製造工程で着色剤を練り込むことができ、蛍光塗料や蓄光塗料を含有させることにより、室内壁の一部に、意図的に光るブロックを配置することにより、ユニットタイルの施工時及び施工後のブロックの一部を嵌め換え、室内での人の誘導やサインの表示等の機能を持たせる。
【符号の説明】
【００１７】
１        壁タイルのブロック形状（小）
２        壁タイルのブロック形状（中）
３        壁タイルのブロック形状（大）
４        壁タイルの接合ベース形状
５        接合ベースの切り取り後の形状（大）
６        接合ベースの切り取り後の形状（小）
７        接合ベースの切り取り線の谷凹形状
８        壁タイルのブロックの接合ベースに嵌め込み可能な凹部
９        接合ベースの嵌め込み可能な凸部状のポッチ部
１０      壁タイルのデザインパターンＡ
１１      壁タイルのデザインパターンＢ
１２      壁タイルのデザインパターンＣ
【図１】
0003234296.tif 000003
【図２】
0003234296.tif 000004
【図３】
0003234296.tif 000005
【図４】
0003234296.tif 000006
【図５】
0003234296.tif 000007
【手続補正書】
【提出日】令和3年8月11日(2021.8.11)
【手続補正１】
【補正対象書類名】実用新案登録請求の範囲
【補正対象項目名】全文
【補正方法】変更
【補正の内容】
【実用新案登録請求の範囲】
【請求項１】
ブロック裏面に凹部の形状を有するブロックと、これを嵌め込む凸部状のポッチを有する接合ベースからなるユニットタイル
【請求項２】
いずれもプラスチック素材からなる請求項１に記載のユニットタイルにして、複数の形状からなるブロックと、それら複数の形状のブロックを収める接合ベースからなるユニットタイル
【請求項３】
ブロックの連結手段は、ブロックの裏面に接合ベースに嵌め込み可能な凹部が複数形成され、接合ベースには凸部状のポッチを有することにより、ブロックが接着剤を用いることなく着脱可能なことを特徴とする請求項1又は2に記載したユニットタイル
【請求項４】
壁面に接着剤を塗布する工程と、請求項1ないし３のいずれかに記載されたユニットタイルを押し付けて連結させることにより壁材を形成する工程とを含むことを特徴とするユニットタイル